(57)【特許請求の範囲】
【請求項１】
地中に、複数の単位骨格部材を上下方向および縦横方向に積み重ねて空間保持骨格を構成し、当該空間保持骨格が形成する空間の底部から周辺の途中まで非透水性層で覆い、前記空間のうち非透水性層の内側は雨水貯留部とし、それより上方は雨水浸透部とした雨水貯留浸透タンク。
【請求項２】
前記非透水性層をゴムシートとした請求項１の雨水貯留浸透タンク。
【請求項３】
前記単位骨格部材を籠状部材または四辺形枠体とした請求項１又は２の雨水貯留浸透タンク。
【発明の詳細な説明】
【０００１】
【発明の属する技術分野】
本発明は、雨水を防火用や散水用等、飲用以外の用途に用いるために貯留保管する雨水貯留浸透タンクであって、一定容量までの雨水を貯留保管し、該一定容量を越えた雨水は地下に徐々に浸透させることのできる雨水貯留浸透タンクに関する。
【０００２】
【従来の技術】
防火用水を保管するための防火タンクとしては地上又は地下に設置したコンクリート製等のそれ等が知られている。これらには水道水を入れて保管するものや、雨水を導入して保管するものもある。同様に用いられる木製のタンクも知られているが、これらは小型ものに限られる。
【０００３】
これらの防火タンクは、雨水を保管するものもあり、かつ地上に設置するものの他、地下に設置するものもあって、スペースの有効利用もそれなりに図られているが、雨水がこれらに導入され、満水になると、当然、それ以上の導入は不可になり、導入部が閉じられておらず、かつ雨天の際に、更に導入が継続するものである場合には、雨水は溢れ、低所に向かって流出することとなる。
【０００４】
【発明が解決しようとする課題】
本発明に於ては、地上部を公園や運動場あるいは公的・私的施設の広場や庭又はそれらの植栽部等として用いることができるとともに、それらの地下に地上より浸透して来る雨水を、防火用水その他飲用以外の用途に用いるものとして貯留保管でき、かつその容量を越える雨水については地下に徐々に浸透させることができる雨水貯留浸透タンクを提供することを、解決の課題とするものである。
【０００５】
【課題を解決するための手段】
本発明の１は、
地中に、上部が開口したタンク用凹部空間を構成し、該タンク用凹部空間の底部から周側の途中までに非透水性内張層を構成し、かつ該タンク用凹部空間の内、前記非透水性内張層の内側及びその上方途中までの空間内に複数の単位骨格部材を充填して空間保持骨格を構成するとともに、その上方を埋戻すことにより、前記タンク用凹部空間の内、非透水性内張層の内側には雨水貯留タンク部を、それより上部には雨水浸透用タンク部を、それぞれ構成し、更に前記雨水貯留タンク部に溜った水を地上に汲み上げる汲み上げ手段を設置した雨水貯留浸透タンクである。
【０００６】
前記タンク用凹部空間は、それを防火用水として利用する領域の必要性を考慮してその大きさを決定する。またこのタンク用凹部空間を掘り下げる領域は、特定の場所である必要はない。個人の家庭の庭、公園、畑、運動場等どのようなところでも不都合ではない。盛土をして若干盛り上げたような領域でも不都合ではない。
前記非透水性内張層は、雨水を浸透させず、その内部に貯留させることができるものであれば、特定のそれに限定されない。コンクリートを打設して構成することもできるし、金属板等を用いて構成しても良い。
前記単位骨格部材は、複数のそれを単に充填し、若しくはそれらを何らかの手段で結合しつつ充填することにより、内部に雨水を貯留し、又は一時貯留することのできる空間保持骨格を構成できるものであり、加えて、埋戻した土砂や植栽された植物類あるいはその上を走歩行する人その他による圧力に耐えられる空間保持骨格を構成できるものであれば、特定のそれに限定されない。
【０００７】
また前記汲み上げ手段は、前記非透水性内張層の内側の雨水貯留タンク部に貯留されている水を、防火等の必要に応じて地上部に汲み上げることのできるものであれば、特定のそれに限定されない。手動又は電動等のポンプ手段を採用することができるが、防火等の実際に有効に働くためには、適当な容量を持った電動その他の原動機付のポンプで構成されるものが適当であろう。災害時に電源又は燃料が失われた場合の対応も考慮すれば、手動のポンプ手段等も併設するのが適当であろう。
【０００８】
したがって本発明の１によれば、地上部に露出するものは汲み上げ手段のみであり、かつ複数の単位骨格部材によって構成される空間保持骨格でタンク用凹部空間は必要な耐圧が確保できるものであるため、地上部は、公園、運動場その他自由に用いることが可能となる。
【０００９】
また空間保持骨格が構成されたタンク用凹部空間の上方は埋戻されているだけであり、コンクリートなどで固めたものではないので、雨水は地上より埋戻された土等を通じて浸透し、徐々に該タンク用凹部空間に流下し、その雨水貯留タンク部から雨水浸透タンク部にと水位が上昇して来ることとなる。
雨水浸透タンク部の周囲には非透水性内張層を構成していないので、ここまで水位が上昇するに至ると、その雨水は、周囲から徐々に地下に浸透することとなり、雨水貯留タンク部の容量を越えた雨水は、地上に溢れるようなことはなく、地下水になるものであり、地下水の発達にも貢献できる。
【００１０】
また本発明の１に於ては、雨水貯留タンク部に貯留されている雨水を汲み上げる汲み上げ手段を構成してあるので、その周辺で火災が発生した場合には、これを汲み上げて消火の用に供することができる。それ以外に、この雨水貯留浸透タンクの地上部に、公園や運動場等を構成した場合には、それらに植栽した植物のための散水用に用いたり、夏季に乾いた運動場等に散水するために用いたりすることもできる。飲用以外の用途には、自由に用いることができる。
また本発明の１では、地上部を自由に用いることができるので、スペースを有効利用しつつ雨水を貯留保管できる利点を有するものである。
【００１１】
本発明の２は、以上の本発明の１の前記非透水性内張層を、前記タンク用凹部空間の底部から周側の途中までにゴムシートを内張することにより構成したものである。
上記ゴムシートは、これを前記タンク用凹部空間の底部から周側の途中までに、直接、当接状態に配しても良いが、前記タンク用凹部空間の底部及び周側の全ての部位に砂利又は砕石等を配した上で、これらの砂利等を介して、前記位置に配することとしても良い。
【００１２】
したがって本発明の２によれば、前記非透水性内張層を、前記タンク用凹部空間の底部から周側の途中までにゴムシートを内張することにより構成したものであるから、その構成が極めて簡単であり、かつ柔軟であるため地震その他によっても容易に破断する等の問題が生じない。
【００１３】
本発明の３は、前記本発明の１の単位骨格部材として籠状部材を構成し、前記タンク用凹部空間の内、前記非透水性内張層の内側及びその上方途中までの空間内に、複数の前記籠状部材を上下方向及び縦横方向に積み重ねて空間保持骨格を構成したものである。
【００１４】
したがって本発明の３によれば、タンク用凹部空間の形状がどのようなものであれ、容易にそれに対応した形状の空間保持骨格を構成することができる。しかもタンク用凹部空間内に充分大きな容量の雨水貯留空間を残すこともできるものである。
【００１５】
本発明の４は、前記本発明の１の単位骨格部材として四辺形枠体を用いることとし、前記タンク用凹部空間の内、前記非透水性内張層の内側及びその上方途中までの空間内に、複数の前記四辺形枠体を上下方向及び縦横方向に連結して空間保持骨格を構成したものである。
【００１６】
したがって本発明の４によれば、その四辺形枠体のサイズを比較的小型のものにした場合には、タンク用凹部空間の形状がどのようなものであれ、容易にそれに対応した形状の空間保持骨格を構成することができる。また四辺形枠体のサイズを比較的大型のものにした場合には、容易に容量の大きなタンク用凹部空間を埋める空間保持骨格を構成することができる。しかも、いずれにしても、タンク用凹部空間内に充分大きな容量の雨水貯留空間を残すこともできるものである。
【００１７】
【発明の実施の形態】
以下、本発明の実施の形態を添付図面に基づいて詳細に説明する。
図１〜図３は本発明の１、２及び３の一つの実施の形態を示している。
図１は、一実施形態を示す概略断面説明図、図２は、単位骨格部材である籠状部材を結合した状態を示す平面説明図、図３は、単位骨格部材である籠状部材の一部切欠正面図である。
【００１８】
先ず、公園、運動場又はその他の施設の庭園等の所望の領域の地面を掘り下げ、ここでは、当該の施設近辺の火災の際に必要な防火用水として十分な水を保管できる容量の雨水貯留タンク部１ａを備え得るタンク用凹部空間１を構成する。図１では、既に上部を土砂で被覆して埋戻した状態を示しているが、当初は、云うまでもなく、上部が完全に開口した状態に掘り下げるものである。こうして、ここでは、平面から見て四辺形の底部２ａから上広がりになる下部斜面２ｂを立ち上げ、地表面ＧＬまでの途中で水平に外方に広がる段部２ｃを構成し、段部２ｃの外縁から地表面ＧＬまで上広がりになる上部斜面２ｄを構成するべく掘り下げたものである。
【００１９】
次いでこのタンク用凹部空間１の底部２ａ、下部斜面２ｂ、段部２ｃ及び上部斜面２ｄに沿って砕石３を配し、それらの砕石３の層を介して、底部２ａ、下部斜面２ｂ上及び段部２ｃの途中までに非透水性のゴムシート４を被覆する。こうしてタンク用凹部空間１中の段部２ｃより下方が前記雨水貯留タンク部１ａとなり、それより上方が雨水浸透タンク部１ｂとなる訳である。
この後、単位骨格部材である複数の籠状部材５、５…を上方からこのタンク用凹部空間１中に持ち込み、図１及び図２に示すように、相互を結合してこの内部に空間保持骨格の構造を作り出す。
【００２０】
上記籠状部材５は、特に図３に示すように、籠状の容体部の上部の開口部縁から鍔体５ａを張出させ、この鍔体５ａの外端から容体部外周と平行にスカート部５ｂを垂下構成したものである。なお鍔体５ａ及びスカート部５ｂにも透水孔６、６…を開口してあり、複数のそれらを組立てて空間保持骨格を構成した場合に、これらの透水孔６、６…を通じて空間保持骨格で保持されたタンク用凹部空間１中を雨水が流通可能にしてあるものである。また上記鍔体５ａ及びスカート部５ｂには、図３に示すように、それぞれボルト孔７、７…を穿設してある。また籠状部材５、５…の容体部の底部にも図示していないが、ボルト孔を穿設してある。
【００２１】
しかして、上記空間保持骨格は、図１に示すように、タンク用凹部空間１の底部２ａに砕石３を介して配したゴムシート４上では、前記底部２ａに対応する部位の全体にわたって籠状部材５、５…を下向きにして敷き詰め、側方に隣接する相互を、鍔体５ａの外端に構成したスカート部５ｂ、５ｂ相互を結合することで、構成する。
これらの下向きの籠状部材５、５…の上には、上向きの籠状部材５、５…を載せ、必要に応じてそれらの底部相互を接着剤で固定し、又はボルト・ナット等により結合固定する。あるいは単に載せるだけとする。側方に隣接する籠状部材５、５相互を、鍔体５ａに構成したスカート部５ｂ、５ｂ相互を利用して結合するのは最下部の籠状部材５、５相互の結合をする場合と同様である。
また上向きに配した籠状部材５、５…の上には、各々また下向きの籠状部材５、５…を載せ、上下対面した籠状部材５、５相互は、対面接合状態の鍔体５ａ、５ａ相互を利用して結合固定する。側方に隣接する籠状部材５、５相互は、鍔体５ａの外端のスカート部５ｂ、５ｂ相互を利用して結合するのは云うまでもない。
【００２２】
こうしてタンク用凹部空間１の内部空間の内、埋戻し用の地表面ＧＬから一定の深さ分までを除いて、その内部空間が一杯になるまで、籠状部材５、５…相互を結合しつつ積み上げ結合して、空間保持骨格を構成する。
【００２３】
なお、上記籠状部材５、５…は、図１及び図２に示すように、上下の籠状部材５、５相互については、それらの開口部が相互に対面接合する場合には、相互の鍔体５ａ、５ａのボルト孔７、７…を利用してボルト・ナット等で結合固定し、底部相互が対面接合する場合は、必要に応じて、接着剤で結合し、又はボルト・ナットで結合し、あるいは、単に下方のそれに上方のそれを載せるだけの結合をする。
左右の籠状部材５、５相互の結合は、相互の鍔体５ａ、５ａの外端から垂下したスカート部５ｂ、５ｂを対面させ、かつそれらに穿設してあるボルト孔７、７…を利用してボルト・ナット等で結合固定する。
【００２４】
こうして空間保持骨格の構造ができ上がった後、図１に示すように、該空間保持骨格と、前記ゴムシート４、タンク用凹部空間１の段部２ｃ及び上部斜面２ｄとの間の各隙間、及び該空間保持骨格の上部上には、砕石３を充填又は載置する。
次いで、上記空間保持骨格の上に平均に配した砕石３の層上に、掘り下げた際の土砂等を埋戻す。更にその領域の必要に応じて樹木１１等を植栽する。
【００２５】
ところで、以上の空間保持骨格の組立工程に於いて、必要に応じて、対応する位置の単位骨格部材である籠状部材５、５…の底部等に孔をあけ、これらの孔を通じてパイプ体８を立設しておくこととする。その下端開口部は、前記雨水貯留タンク部１ａの底部に対応する位置のゴムシート４の直上付近とし、上端は地表面ＧＬから若干立上った高さ位置とする。このパイプ体８の上端にはポンプ装置９の吸引口を取り付け、吐出口にも短いパイプ体を取り付ける。上部のパイプ体にはキャップ１０を着脱自在に被覆する。こうして汲み上げ装置を構成する。
【００２６】
以上のように、この雨水貯留浸透タンクは、タンク用凹部空間１を掘り下げて、その内側の所定の位置に砕石３の層を介してゴムシート４を内装し、かつ該ゴムシート４内及びその上方まで籠状部材５、５…を組立てて空間保持骨格を構成し、該空間保持骨格の周囲及びその上部に砕石３を配するとともに埋戻して構成したものである。また途中で空間保持骨格を構成する単位骨格部材である籠状部材５、５…に孔をあけてパイプ体８をその内部に立設し、これにポンプ装置９を配して汲み上げ装置を構成したものである。
それ故、容易かつ簡易に雨水貯留浸透タンクを構成し得るものである。
またそのサイズや形状等も自由に構成し得る利点がある。
【００２７】
したがってこの実施形態によれば、地上部に露出するものは汲み上げ装置のみであり、かつ複数の籠状部材５、５…によって構成される空間保持骨格でタンク用凹部空間１は必要な耐圧が確保できるものであるため、地上部となっている前記公園、運動場又はその他の施設の庭園等は、安全にかつ自由に使用することができる。
【００２８】
また空間保持骨格が構成されたタンク用凹部空間１の上方は埋戻されているだけであり、コンクリートなどで固めたものではないので、雨水は地上より埋戻された土砂等を通じて浸透し、徐々に該タンク用凹部空間１に流下し、その雨水貯留タンク部１ａから雨水浸透用タンク部１ｂにと水位が上昇して来ることとなる。
雨水浸透タンク部１ｂの周囲には前記ゴムシート４が配してないので、ここまで水位が上昇するに至ると、その雨水は、周囲から徐々に地下に浸透することとなり、雨水貯留タンク部１ａの容量を越えた雨水は、地上に溢れることなく、地下水になるものであり、地下水の発達にも貢献できる。
【００２９】
またこの実施形態に於ては、雨水貯留タンク部１ａに貯留されている雨水を汲み上げる汲み上げ装置を構成してあるので、その周辺で火災が発生した場合には、前記キャップ１０を取り外してポンプ装置９の吐出側に配したパイプ体にホース等を接続して該雨水貯留タンク部１ａの雨水を汲み上げて消火の用に供することができる。
それ以外に、この雨水貯留浸透タンクの地上部の植物のための給水用に用いたり、飲用以外の用途には、自由に用いることができる。
このように地上部を自由に用いることができるので、スペースを有効利用しつつ雨水を貯留保管できる利点を有するものである。
【００３０】
更にこの実施形態では、ゴムシート４で雨水貯留タンク部１ａの非透水性内張層を構成しているので、地震等の際の大きな振動や揺動、更には地盤の若干のずれ等が生じても、それが容易に破壊されず、タンクとしての役割をその後まで充分果たし得るものである。
【００３１】
図４及び図５は、他の実施形態を示すもので、図４は、空間保持骨格の構成用の四辺形の辺に沿った四辺形枠体を示した正面図であり、図５は、複数本の上記四辺形枠体を利用して組立てた空間保持骨格の構造を示す概略斜視図である。
【００３２】
この実施形態は、前記図１〜図３に示した実施形態で、前記籠状部材５、５…により空間保持骨格を構成するのに代えて、以上の四辺形枠体１２、１２を用いて空間保持骨格を構成するものである。こうして前記実施形態の場合より、より空間率を高めることができる。
【００３３】
前記四辺形枠体１２は、図４に示すように、棒材を四辺形の辺に沿った形状に組んで構成したものであり、前記のようにして構成したタンク用凹部空間１に複数のそれらを持ち込んで、前記実施形態と同様に、非透水性のゴムシート４の内部以上に、それらを組立て空間保持骨格１３を構成する。この空間保持骨格１３は、隣接する四辺形枠体１２、１２の枠辺相互を重ね合わせ、同時にクランプ手段等によりクランプしつつ、図５に示すような構造に組立てるものである。
【００３４】
この空間保持骨格１３の場合は透水性の網状シートをその上に載せ、そうした上で砕石３等を配して埋戻す。
こうして前記実施形態と同様の雨水貯留浸透タンクを構成し得ることとなる。
【００３５】
こうして構成された雨水貯留浸透タンクは、前記実施形態の籠状部材５、５…を用いて空間保持骨格１３を構成した場合より空間率が高くなる利点がある。
他の点に関しては、前記実施形態について説明したところと同様の作用効果を有する。
【００３６】
【発明の効果】
したがって本発明によれば、地上部に露出するものは汲み上げ手段のみであり、かつ複数の単位骨格部材によって構成される空間保持骨格でタンク用凹部空間は必要な耐圧が確保できるものであるため、地上部は、公園、運動場その他自由に用いることが可能となる。
【００３７】
また空間保持骨格が構成されたタンク用凹部空間の上方は埋戻されているだけであり、コンクリートなどで固めたものではないので、雨水は地上より埋戻された土等を通じて浸透し、徐々に該タンク用凹部空間に流下し、その雨水貯留タンク部から雨水浸透用タンク部にと水位が上昇して来ることとなる。
雨水浸透タンク部の周囲には非透水性内張層を構成していないので、ここまで水位が上昇するに至ると、その雨水は、周囲から徐々に地下に浸透することとなり、雨水貯留用タンク部の容量を越えた雨水は、地上に溢れるようなことはなく、地下水になるものであり、地下水の発達にも貢献できる。
【００３８】
本発明に於ては、雨水貯留タンク部に貯留されている雨水を汲み上げる汲み上げ手段を構成してあるので、その周辺で火災が発生した場合には、これを汲み上げて消火の用に供することができる。それ以外に、この雨水貯留浸透タンクの地上部に、公園や運動場等を構成した場合には、それらに植栽した植物のための散水用に用いたり、夏季に乾いた運動場等に散水するために用いたりすることもできる。飲用以外の用途には、自由に用いることができる。
また本発明では、地上部を自由に用いることができるので、スペースを有効利用しつつ雨水を貯留保管できる利点を有するものである。
【００３９】
また本発明に於て、非透水性内張層を、前記タンク用凹部空間の底部から周側の途中までにゴムシートを内張することにより構成した場合には、その構成が極めて簡単であり、かつ柔軟であるため、地震その他によっても容易に破断する等の問題が生じない。
【００４０】
更に、単位骨格部材として籠状部材を構成し、前記タンク用凹部空間の内、前記非透水性内張層の内側及びその上方途中までの空間内に、複数の前記籠状部材を上下方向及び縦横方向に積み重ねて空間保持骨格を構成した場合には、タンク用凹部空間の形状がどのようなものであれ、容易にそれに対応した形状の空間保持骨格を構成することができる。しかもタンク用凹部空間内に充分大きな容量の雨水貯留空間を残すこともできるものである。
【００４１】
更にまた単位骨格部材として四辺形枠体を用いることとし、前記タンク用凹部空間の内、前記非透水性内張層の内側及びその上方途中までの空間内に、複数の前記四辺形枠体を上下方向及び縦横方向に連結して空間保持骨格を構成した場合には、次のような効果が得られる。
例えば、その四辺形枠体のサイズを比較的小型のものにした場合には、タンク用凹部空間の形状がどのようなものであれ、容易にそれに対応して形状の空間保持骨格を構成することができる。
また、例えば、四辺形枠体のサイズを比較的大型のものにした場合には、容易に容量の大きなタンク用凹部空間を埋める空間保持骨格を構成することができる。しかも、いずれにしても、タンク用凹部空間内に充分大きな容量の雨水貯留空間を残すこともできるものである。
【図面の簡単な説明】
【図１】一実施形態を示す概略断面説明図。
【図２】一実施形態の単位骨格部材である籠状部材を結合した状態を示す平面説明図。
【図３】一実施形態の単位骨格部材である籠状部材の一部切欠正面図。
【図４】他の実施形態の空間保持骨格の構成用の四辺形の辺に沿った四辺形枠体を示した正面図。
【図５】他の実施形態の複数本の上記四辺形枠体を利用して組立てた空間保持骨格の構造を示す概略斜視図。
【符号の説明】
１    タンク用凹部空間
１ａ  雨水貯留タンク部
１ｂ  雨水浸透用タンク部
２ａ  底部
２ｂ  下部斜面
２ｃ  段部
２ｄ  上部斜面
３    砕石
４    ゴムシート
５    籠状部材
５ａ  鍔体
５ｂ  スカート部
６    透水孔
７    ボルト孔
８    パイプ体
９    ポンプ装置
１０  キャップ
１１  樹木
１２  四辺形枠体
１３  空間保持骨格
【図１】
0003651973.tif 000002
【図２】
0003651973.tif 000003
【図３】
0003651973.tif 000004
【図４】
0003651973.tif 000005
【図５】
0003651973.tif 000006